(57)【特許請求の範囲】
【請求項１】
基体と、
前記基体上に設けられた複数の第１検出電極パターンと、
複数の前記第１検出電極パターンをＮ（Ｎは２以上の整数）個の第１検出電極パターン群に分割するとき、Ｎ個の前記第１検出電極パターン群のそれぞれの前記第１検出電極パターン群に含まれる複数の前記第１検出電極パターンの一端部同士を接続した第１接続配線と、
Ｎ個の前記第１検出電極パターン群のそれぞれの前記第１検出電極パターン群に含まれる隣り合う前記第１検出電極パターン同士を接続した複数の第１パターン間配線と、を備え、
複数の前記第１パターン間配線のうち、前記第１検出電極パターンの他端部側に位置する前記第１パターン間配線の幅は、前記第１検出電極パターンの前記一端部側に位置する前記第１パターン間配線の幅よりも大きい、入力装置。
【請求項２】
基体と、
前記基体上に設けられた複数の第１検出電極パターンと、
複数の前記第１検出電極パターンをＮ（Ｎは２以上の整数）個の第１検出電極パターン群に分割するとき、Ｎ個の前記第１検出電極パターン群のそれぞれの前記第１検出電極パターン群に含まれる複数の前記第１検出電極パターンの一端部同士を接続した第１接続配線と、
Ｎ個の前記第１検出電極パターン群のそれぞれの前記第１検出電極パターン群に含まれる隣り合う前記第１検出電極パターン同士を接続した複数の第１パターン間配線と、を備え、
複数の前記第１パターン間配線のうち、前記第１検出電極パターンの他端部側に位置する前記第１パターン間配線の厚みは、前記第１検出電極パターンの前記一端部側に位置する前記第１パターン間配線の厚みよりも大きい、入力装置。
【請求項３】
前記第１検出電極パターンは、複数の第１検出電極と、隣り合う前記第１検出電極同士を接続した第１電極間配線と、を有し、
前記第１パターン間配線は、隣り合う前記第１検出電極パターンにおける前記第１検出電極同士を接続している、請求項１または２に記載の入力装置。
【請求項４】
前記第１パターン間配線は、隣り合う前記第１検出電極パターンにおける前記第１検出電極同士を全て接続している、請求項３に記載の入力装置。
【請求項５】
複数の前記第１電極間配線のうち、前記第１検出電極パターンの前記他端部側に位置する前記第１電極間配線の幅は、前記第１検出電極パターンの前記一端部側に位置する前記第１電極間配線の幅よりも大きい、請求項３または４に記載の入力装置。
【請求項６】
前記基体上に設けられており、かつ複数の前記第１検出電極パターンと交差する複数の第２検出電極パターンと、
複数の前記第２検出電極パターンをＭ（Ｍは２以上の整数）個の第２検出電極パターン群に分割するとき、Ｍ個の前記第２検出電極パターン群のそれぞれの前記第２検出電極パターン群に含まれる複数の前記第２検出電極パターンの一端部同士を接続した第２接続配線と、
Ｍ個の前記第２検出電極パターン群のそれぞれの前記第２検出電極パターン群に含まれる隣り合う前記第２検出電極パターン同士を接続した複数の第２パターン間配線と、を備え、
複数の前記第２パターン間配線のうち、前記第２検出電極パターンの他端部側に位置す
る前記第２パターン間配線の幅は、前記第２検出電極パターンの前記一端部側に位置する前記第２パターン間配線の幅よりも大きい、請求項１〜５のいずれか一項に記載の入力装置。
【請求項７】
前記基体上に設けられており、かつ複数の前記第１検出電極パターンと交差する複数の第２検出電極パターンと、
複数の前記第２検出電極パターンをＭ（Ｍは２以上の整数）個の第２検出電極パターン群に分割するとき、Ｍ個の前記第２検出電極パターン群のそれぞれの前記第２検出電極パターン群に含まれる複数の前記第２検出電極パターンの一端部同士を接続した第２接続配線と、
Ｍ個の前記第２検出電極パターン群のそれぞれの前記第２検出電極パターン群に含まれる隣り合う前記第２検出電極パターン同士を接続した複数の第２パターン間配線と、を備え、
複数の前記第２パターン間配線のうち、前記第２検出電極パターンの他端部側に位置する前記第２パターン間配線の厚みは、前記第２検出電極パターンの前記一端部側に位置する前記第２パターン間配線の厚みよりも大きい、請求項１〜５のいずれか一項に記載の入力装置。
【請求項８】
平面視して、前記第１パターン間配線と前記第２パターン間配線とは交差していない、請求項６または７に記載の入力装置。
【請求項９】
請求項１〜８のいずれか一項に記載の入力装置と、
前記入力装置に対向して配置された表示パネルと、
前記表示パネルを収容した筐体と、を備えた表示装置。
【請求項１０】
請求項９に記載の表示装置を備えた電子機器。
【発明の詳細な説明】
【技術分野】
【０００１】
本発明は、入力装置、表示装置、および電子機器に関する。
【背景技術】
【０００２】
従来から、入力装置としては、例えば、指と検出電極との間における静電容量の変化を捉えて入力位置を検出する静電容量方式タッチパネルが知られている。
【０００３】
このような入力装置は、例えば、基板上に複数の検出電極パターンが設けられている。また、隣り合う検出電極パターンは、一端部同士が接続配線によって接続されており、接続配線は、検出用配線に接続されている（例えば、特許文献１参照）。さらに、隣り合う検出電極パターンは、複数のパターン間配線によって接続されている。
【先行技術文献】
【特許文献】
【０００４】
【特許文献１】特開２０１０−３９５１５号公報
【発明の概要】
【発明が解決しようとする課題】
【０００５】
しかしながら、上記従来の入力装置では、隣り合う検出電極パターンのうち、一方の検出電極パターンに断線が生じた場合に、次の問題が起こる可能性があった。すなわち、一方の検出電極パターンのうち、断線が生じた部位よりも他端部側に位置するパターンは、パターン間配線および他方の検出電極パターンを介して検出用配線に電気的に接続される。このため、断線が生じた部位よりも他端部側に位置するパターンにおいては、検出用配線に対する電気的な距離が相対的に長くなるため、抵抗値が大きくなる可能性がある。そのため、使用者が入力操作を行った入力位置によって、検出感度にばらつきが生じてしまう可能性がある。
【０００６】
本発明は、上記の問題点に鑑みてなされたものであり、その目的は、検出感度にばらつきが生じる可能性を低減することができる入力装置、表示装置、および電子機器に関する。
【課題を解決するための手段】
【０００７】
本発明の入力装置における一態様は、基体と、前記基体上に設けられた複数の第１検出電極パターンと、複数の前記第１検出電極パターンをＮ（Ｎは２以上の整数）個の第１検出電極パターン群に分割するとき、Ｎ個の前記第１検出電極パターン群のそれぞれの前記第１検出電極パターン群に含まれる複数の前記第１検出電極パターンの一端部同士を接続した第１接続配線と、Ｎ個の前記第１検出電極パターン群のそれぞれの前記第１検出電極パターン群に含まれる隣り合う前記第１検出電極パターン同士を接続した複数の第１パターン間配線と、を備え、複数の前記第１パターン間配線のうち、前記第１検出電極パターンの他端部側に位置する前記第１パターン間配線の幅は、前記第１検出電極パターンの前記一端部側に位置する前記第１パターン間配線の幅よりも大きい。
【０００８】
また、本発明の入力装置における一態様は、基体と、前記基体上に設けられた複数の第１検出電極パターンと、複数の前記第１検出電極パターンをＮ（Ｎは２以上の整数）個の第１検出電極パターン群に分割するとき、Ｎ個の前記第１検出電極パターン群のそれぞれの前記第１検出電極パターン群に含まれる複数の前記第１検出電極パターンの一端部同士を接続した第１接続配線と、Ｎ個の前記第１検出電極パターン群のそれぞれの前記第１検
出電極パターン群に含まれる隣り合う前記第１検出電極パターン同士を接続した複数の第１パターン間配線と、を備え、複数の前記第１パターン間配線のうち、前記第１検出電極パターンの他端部側に位置する前記第１パターン間配線の厚みは、前記第１検出電極パターンの前記一端部側に位置する前記第１パターン間配線の厚みよりも大きい。
【０００９】
本発明の表示装置における一態様は、本発明に係る入力装置と、前記入力装置に対向して配置された表示パネルと、前記表示パネルを収容した筐体と、を備える。
【００１０】
本発明の電子機器における一態様は、本発明に係る表示装置を備える。
【発明の効果】
【００１１】
本発明の入力装置、表示装置、および電子機器は、検出感度にばらつきが生じる可能性を低減することができる、という効果を奏する。
【図面の簡単な説明】
【００１２】
【図１】本実施形態に係る入力装置の概略構成を示す平面図である。
【図２】本実施形態に係る入力装置の概略構成を示す平面図であって、基体を透視した図である。
【図３】図２中に示したＩ−Ｉ線断面図である。
【図４】図２中に示したＩＩ−ＩＩ線断面図である。
【図５】図２中に示した１点鎖線で囲んだ領域Ａ１を拡大した平面図である。
【図６】図２中に示した２点鎖線で囲んだ領域Ｂ１を拡大した平面図である。
【図７】図２中に示したＩＩＩ−ＩＩＩ線断面図である。
【図８】本実施形態に係る表示装置の概略構成を示す断面図である。
【図９】本実施形態に係る携帯端末の概略構成を示す斜視図である。
【図１０】変形例１に係る入力装置の概略構成を示す平面図であって、基体を透視した図である。
【図１１】図１０中に示したＩＶ−ＩＶ線断面図である。
【図１２】図１０中に示したＶ−Ｖ線断面図である。
【図１３】変形例２に係る入力装置の概略構成を示す平面図であって、基体を透視した図である。
【図１４】図１３中に示した１点鎖線で囲んだ領域Ａ２を拡大した平面図である。
【図１５】図１３中に示した２点鎖線で囲んだ領域Ｂ２を拡大した平面図である。
【発明を実施するための形態】
【００１３】
以下、本発明の実施形態について、図面を参照しながら説明する。
【００１４】
但し、以下で参照する各図は、説明の便宜上、本発明の一実施形態の構成部材のうち、本発明を説明するために必要な主要部材を簡略化して示したものである。したがって、本発明に係る入力装置、表示装置、および電子機器は、本明細書が参照する各図に示されていない任意の構成部材を備え得る。
【００１５】
図１および図２に示すように、本実施形態に係る入力装置Ｘ１は、投影型の静電容量方式のタッチパネルであって、入力領域Ｅ１および非入力領域Ｅ２を有している。入力領域Ｅ１は、使用者が入力操作を行うことができる領域である。非入力領域Ｅ２は、使用者が入力操作を行うことができない領域である。本実施形態に係る非入力領域Ｅ２は、入力領域Ｅ１を取り囲むように当該入力領域Ｅ１の外側に位置しているが、これに限らない。例えば、入力領域Ｅ１内に非入力領域Ｅ２が位置していてもよい。
【００１６】
図１〜４に示すように、入力装置Ｘ１は、基体２を備えている。なお、図２では、説明
の便宜上、絶縁体７、保護シート１３、および接着層１４の図示は省略する。
【００１７】
基体２は、第１検出電極パターン群３、第１接続配線４、第１パターン間配線５，第２検出電極パターン群６、絶縁体７、第２接続配線８、第２パターン間配線９、加飾層１０、保護層１１、検出用配線１２、保護シート１３、および接着層１４を支持する役割を有する。基体２は、第１主面２Ａおよび第２主面２Ｂを有する。第１主面２Ａは、第２主面２Ｂよりも使用者側に位置している。第２主面２Ｂは、第１主面２Ａの反対側に位置している。基体２は、絶縁性を有するとともに、基体２の第１主面２Ａおよび第２主面２Ｂに交差する方向に入射する光に対して透光性を有する構成とされている。基体２の構成材料としては、例えば、ガラスあるいはプラスチックが挙げられる。基体２の構成材料がガラスである場合、強度向上のため、イオン交換によって化学強化されたガラスを用いることが好ましい。
【００１８】
第１検出電極パターン群３は、入力領域Ｅ１に対応する基体２の第１主面２Ａに接近した使用者の指Ｆ１との間において静電容量を発生し、Ｙ方向における入力位置を検出する役割を有する。第１検出電極パターン群３には、複数の第１検出電極パターン３０が含まれている。具体的には、Ｙ方向に並んで設けられた１０個の第１検出電極パターン３０が、５個の第１検出電極パターン群３に分割されている。また、５個の第１検出電極パターン群３のそれぞれには、２個の第１検出電極パターン３０が含まれている。なお、本実施形態では、第１検出電極パターン群３は５個存在しているが、これに限らず、２個以上存在していればよい。また、本実施形態では、１個の第１検出電極パターン群３には、２個の第１検出電極パターン３０が含まれているが、これに限らず、３個以上の第１検出電極パターン３０が含まれていてもよい。
【００１９】
第１検出電極パターン３０は、第１検出電極３０ａおよび第１電極間配線３０ｂを有する。
【００２０】
第１検出電極３０ａは、使用者の指Ｆ１との間において静電容量を発生する役割を有する。第１検出電極３０ａは、Ｘ方向に並んで複数設けられている。第１電極間配線３０ｂは、第１検出電極３０ａ同士を電気的に接続する役割を有する。第１電極間配線３０ｂは、互いに隣り合う第１検出電極３０ａの間に設けられている。
【００２１】
次に、図５を参照しながら、基体２上に位置する第１接続配線４および第１パターン間配線５について説明する。なお、図５は、図２中に示した１点鎖線で囲んだ領域Ａ１を拡大した平面図である。図５では、説明の便宜上、第１検出電極パターン群３、第１接続配線４、第１パターン間配線５、第２検出電極パターン群６、および第２パターン間配線９のみを示す。
【００２２】
第１接続配線４は、第１検出電極パターン群３に含まれる複数の第１検出電極パターン３０を、共通の第１検出用配線１２ａに対して電気的に接続する役割を有する。第１接続配線４は、入力領域Ｅ１に対応する基体２の第２主面２Ｂ上に設けられており、第１検出電極パターン群３に含まれる複数の第１検出電極パターン３０間に位置している。また、第１接続配線４は、第１検出電極パターン群３に含まれる複数の第１検出電極パターン３０の一端部３０ｃ同士を接続している。具体的には、第１接続配線４は、第１検出電極パターン３０の一端部３０ｃに位置する第１検出電極３０ａ同士を接続している。なお、第１検出電極パターン３０の一端部３０ｃとは、第１検出用配線１２ａに近い側に位置する第１検出電極パターン３０の端部を意味する。第１接続配線４は、第１検出用配線１２ａに電気的に接続されている。このため、第１検出電極パターン群３に含まれる複数の第１検出電極パターン３０を、共通の第１検出用配線１２ａに電気的に接続することができる。
【００２３】
第１パターン間配線５は、第１検出電極パターン群３に含まれる隣り合う第１検出電極パターン３０を電気的に接続する役割を有する。第１パターン間配線５は、入力領域Ｅ１に対応する基体２の第２主面２Ｂ上に複数設けられている。また、第１パターン間配線５は、第１検出電極パターン群３に含まれる隣り合う第１検出電極パターン３０同士を接続している。具体的には、第１検出電極パターン群３に含まれる隣り合う第１検出電極パターン３０の第１検出電極３０ａ同士を接続している。このため、第１検出電極パターン群３に含まれる隣り合う第１検出電極パターン３０のうち、一方の第１検出電極パターン３０に断線が生じたとしても、断線が生じた部位よりも他端部３０ｄ側に位置するパターンは、第１パターン間配線５および他方の第１検出電極パターン３０を介して第１検出用配線１２ａに電気的に接続される。そのため、断線が生じた部位よりも他端部３０ｄ側に位置するパターンにおいて、使用者が入力操作を行った入力位置を検出することができる。なお、第１検出電極パターン３０の他端部３０ｄとは、第１検出電極パターン３０の一端部３０ｃとは反対側に位置する第１検出電極パターン３０の端部を意味する。
【００２４】
なお、第１パターン間配線５は、第１検出電極パターン群３に含まれる第１検出電極パターン３０の他端部３０ｄに位置する第１検出電極３０ａ同士を接続している。このため、第１検出電極パターン３０に含まれる複数の第１電極間配線３０ｂのうち、いずれかの第１電極間配線３０ｂに断線が生じた場合であっても、当該第１パターン間配線５を介して第１検出用配線１２ａに電気的に接続されることになる。このため、第１検出電極パターン３０のうち、断線が生じた部位よりも他端部３０ｄ側に位置するパターンにおいて、使用者が入力操作を行った入力位置を検出できなくなる可能性を低減することができる。
【００２５】
ところで、上述したように、隣り合う第１検出電極パターンのうち、一方の第１検出電極パターンに断線が生じた場合に、断線が生じた部位よりも他端部側に位置するパターンにおいては、第１パターン間配線および他方の第１検出電極パターンを介して第１検出用配線に電気的に接続される。しかしながら、断線が生じた部位よりも他端部側に位置するパターンが、複数の第１パターン間配線のうち、第１検出電極パターンの他端部側に位置する第１パターン間配線を介して第１検出用配線に電気的に接続される場合は、第１検出用配線に対する電気的な距離が相対的に長くなり、抵抗値が大きくなってしまう。このため、使用者が入力操作を行った入力位置によって、検出感度にばらつきが生じる可能性があった。
【００２６】
そこで、本実施形態では、複数の第１パターン間配線５の幅Ｗ１は、第１検出電極パターン３０の他端部３０ｄ側に位置する第１パターン間配線５の方が、第１検出電極パターン３０の一端部３０ｃ側に位置する第１パターン間配線５よりも大きい。このため、第１検出電極パターン３０の他端部３０ｄ側に位置する第１パターン間配線５の抵抗値を、第１検出電極パターン３０の一端部３０ｃ側に位置する第１パターン間配線５の抵抗値よりも小さくすることができる。そのため、一方の第１検出電極パターン３０に断線が生じた場合に、断線が生じた部位よりも他端部３０ｄ側に位置するパターンが、複数の第１パターン間配線５のうち他端部３０ｄ側に位置する第１パターン間配線５を介して、第１検出用配線１２ａに電気的に接続されたとしても、抵抗値が大きくなる可能性を低減することができる。このため、使用者が入力操作を行った入力位置によって、検出感度にばらつきが生じる可能性を低減することができる。
【００２７】
なお、本実施形態では、複数の第１パターン間配線５の幅Ｗ１は、第１検出電極パターン３０の他端部３０ｄに近づくほど大きくなっている。このため、検出感度にばらつきが生じる可能性をより低減することができる。
【００２８】
また、複数の第１パターン間配線５は、第１検出電極パターン群３に含まれる隣り合う
第１検出電極パターン３０における第１検出電極３０ａ同士を全て接続していることが好ましい。この場合、断線が生じた部位よりも他端部３０ｄ側に位置するパターンにおいて、第１検出用配線１２ａに対する電気的な接続距離を相対的に短くすることができる。このため、使用者が入力操作を行った入力位置によって、検出感度が低下する可能性を低減することができる。
【００２９】
第２検出電極パターン群６は、入力領域Ｅ１に対応する基体２の第１主面２Ａに接近した使用者の指Ｆ１との間において静電容量を発生し、Ｘ方向における入力位置を検出する役割を有する。第２検出電極パターン群６には、複数の第２検出電極パターン６０が含まれている。具体的には、Ｘ方向に並んで設けられた６個の第２検出電極パターン６０が、３個の第２検出電極パターン群６に分割されている。また、３個の第２検出電極パターン群６のそれぞれには、２個の第２検出電極パターン６０が含まれている。なお、本実施形態では、第２検出電極パターン群６は３個存在しているが、これに限らず、２個以上存在していればよい。また、本実施形態では、１個の第２検出電極パターン群６には、２個の第２検出電極パターン６０が含まれているが、これに限らず、３個以上の第２検出電極パターン６０が含まれていてもよい。
【００３０】
第２検出電極パターン６０は、第２検出電極６０ａおよび第２電極間配線６０ｂを有する。
【００３１】
第２検出電極６０ａは、使用者の指Ｆ１との間において静電容量を発生する役割を有する。第２検出電極６０ａは、Ｙ方向に並んで複数設けられている第２電極間配線６０ｂは、互いに隣り合う第２検出電極６０ａの間において、第１電極間配線３０ｂと電気的に絶縁するように、絶縁体７を跨いで当該絶縁体５上に設けられている。ここで、絶縁体７は、第１電極間配線３０ｂを覆うように基体２の第２主面２Ｂ上に設けられている。絶縁体７の構成材料としては、例えば、アクリル樹脂、エポキシ樹脂、シリコーン樹脂、二酸化ケイ素、あるいは窒化珪素等の透明樹脂が挙げられる。
【００３２】
次に、図６を参照しながら、基体２上に位置する第２接続配線８および第２パターン間配線９について説明する。なお、図６は、図２中に示した２点鎖線で囲んだ領域Ｂ１を拡大した平面図である。図６では、説明の便宜上、第１検出電極パターン群３、第１パターン間配線５、第２検出電極パターン群６、第２接続配線８、および第２パターン間配線９のみを示す。
【００３３】
第２接続配線８は、第２検出電極パターン群６に含まれる複数の第２検出電極パターン６０を、共通の第２検出用配線１２ｂに電気的に接続する役割を有する。第２接続配線８は、入力領域Ｅ１に対応する基体２の第２主面２Ｂ上に設けられており、第２検出電極パターン群６に含まれる複数の第２検出電極パターン６０間に位置している。また、第２接続配線８は、第２検出電極パターン群６に含まれる複数の第２検出電極パターン６０の一端部６０ｃ同士を接続している。具体的には、第２接続配線８は、第２検出電極パターン６０の一端部６０ｃに位置する第２検出電極６０ａ同士を接続している。なお、第２検出電極パターン６０の一端部６０ｃとは、第２検出用配線１２ｂに近い側に位置する第２検出電極パターン６０の端部を意味する。第２接続配線８は、第２検出用配線１２ｂに電気的に接続されている。このため、第２検出電極パターン群６に含まれる複数の第２検出電極パターン６０を、共通の第２検出用配線１２ｂに電気的に接続することができる。
【００３４】
第２パターン間配線９は、第２検出電極パターン群６に含まれる複数の第２検出電極パターン６０を電気的に接続する役割を有する。第２パターン間配線９は、入力領域Ｅ１に対応する基体２の第２主面２Ｂ上に複数設けられている。また、第２パターン間配線９は、第２検出電極パターン群６に含まれる隣り合う第２検出電極パターン６０同士を接続し
ている。具体的には、第２パターン間配線９は、第２検出電極パターン群６に含まれる隣り合う第２検出電極パターン６０の第２検出電極６０ａ同士を接続している。また、複数の第２パターン間配線９の幅Ｗ２は、第２検出電極パターン６０の他端部６０ｄ側に位置する第２パターン間配線９の方が、第２検出電極パターン６０の一端部６０ｃ側に位置する第２パターン間配線９よりも大きい。このため、使用者が入力操作を行った入力位置によって、検出感度にばらつきが生じる可能性を低減することができる。なお、第２検出電極パターン６０の他端部６０ｄとは、第２検出電極パターン６０の一端部６０ｃとは反対側に位置する第２検出電極パターン６０の端部を意味する。
【００３５】
なお、本実施形態では、第２パターン間配線９は、第２検出電極パターン群６に含まれる隣り合う第２検出電極パターン６０における第２検出電極６０ａ同士を全て接続している。このため、使用者が入力操作を行った入力位置によって、検出感度が低下する可能性を低減することができる。
【００３６】
なお、本実施形態では、平面視して、第１パターン間配線５と第２パターン間配線９とは交差していない。このため、第１パターン間配線５と第２パターン間配線９とが、並行平板コンデンサとして機能する可能性を低減することができる。このため、入力装置Ｘ１における寄生容量が大きくなる可能性を低減することができる。そのため、使用者が入力操作を行った入力位置によって、検出感度が低下する可能性を低減することができる。
【００３７】
上述の第１検出電極パターン群３、第１接続配線４、第１パターン間配線５、第２検出電極パターン群６、第２接続配線８、および第２パターン間配線９の構成材料としては、透光性を有する導電性部材が挙げられる。透光性を有する導電性部材としては、例えば、ＩＴＯ（Indium Tin Oxide）、ＩＺＯ（Indium Zinc Oxide）、ＡＴＯ（Al-Doped Zinc Oxide）、酸化錫、酸化亜鉛、あるいは導電性高分子が挙げられる。
【００３８】
第１検出電極パターン群、第１接続配線４、第１パターン間配線５、第２検出電極パターン群６、第２接続配線８、および第２パターン間配線９の形成方法としては、例えば、上述の材料をスパッタリング法、蒸着法、あるいはＣＶＤ（Chemical Vapor Deposition
）法によって基体２の第２主面２Ｂ上に成膜する。そして、この膜の表面に感光性樹脂を塗布し、露光、現像、エッチング工程を経て、膜がパターニングされることで形成される。
【００３９】
次に、図７を参照しながら、基体２上に設けられた加飾層１０、保護層１１、検出用配線１２、保護シート１３、および接着層１４について説明する。なお、図７は、図２中に示したＩＩＩ−ＩＩＩ線断面である。
【００４０】
加飾層１０は、入力装置Ｘ１の非入力領域Ｅ２を加飾する役割を有する。このため、加飾層１０は、非入力領域Ｅ２に対応する基体２の第２主面２Ｂ上に設けられている。加飾層１０の構成材料としては、樹脂材料に着色材料を含んだものが挙げられる。樹脂材料としては、例えば、アクリル系樹脂、エポキシ系樹脂、あるいはシリコーン系樹脂が挙げられる。着色材料としては、例えば、カーボン、チタン、あるいはクロムが挙げられる。なお、加飾層１０は、黒色に限らず、黒色以外の色を着色していてもよい。加飾層１０を形成する方法としては、例えば、スクリーン印刷法、スパッタリング法、ＣＶＤ法、あるいは蒸着法が挙げられる。
【００４１】
保護層１１は、加飾層１０を保護する役割を有する。ここで、加飾層１０を保護する役割としては、例えば、加飾層１０を水分の吸湿による腐食から保護する役割、あるいは、加飾層１０の材質が変質してしまう可能性を低減する役割が挙げられる。保護層１１は、非入力領域Ｅ２に対応する基体２の第２主面２Ｂ上に設けられており、加飾層１０を被覆
している。保護層１１の構成材料としては、例えば、アクリル系樹脂、シリコーン系樹脂、ゴム系樹脂、ウレタン系樹脂、あるいは、ケイ素を含む無機化合物が挙げられる。保護層１１を形成する方法としては、例えば、転写印刷法、スピンコート法、あるいはスリットコート法が挙げられる。
【００４２】
検出用配線１２は、第１検出用配線１２ａおよび第２検出用配線１２ｂを有する。
【００４３】
第１検出用配線１２ａは、第１検出電極パターン群３に対して電圧を印加する役割、および、第１検出電極パターン群３と指Ｆ１との間において発生した静電容量の変化を検出する役割を有する。検出用配線１２ａは、保護層１１上に位置している。また、第１検出用配線１２ａの一端は、第１接続配線４に接続されている。また、第１検出用配線１２ａの他端は、外部導通領域Ｇ１に位置している。第２検出用配線１２ｂは、第２検出電極パターン群６に対して電圧を印加する役割、および、第２検出電極パターン群６と指Ｆ１との間において発生した静電容量の変化を検出する役割を有する。第２検出用配線１２ｂは、保護層１１上に位置している。また、第２検出用配線１２ｂの一端は、第２接続配線８に接続されている。また、第２検出用配線１２ｂの他端は、外部導通領域Ｇ１に位置している。
【００４４】
検出用配線１２は、硬質で高い形状安定性を得るべく、金属薄膜で形成される。金属薄膜の構成材料としては、例えば、アルミニウム膜、アルミニウム合金膜、クロム膜とアルミニウム膜との積層膜、クロム膜とアルミニウム合金膜との積層膜、銀膜、銀合金膜、あるいは金合金膜が挙げられる。金属薄膜を形成する方法としては、例えば、スパッタリング法、ＣＶＤ法、あるいは蒸着法が挙げられる。
【００４５】
保護シート１３は、使用者の指Ｆ１の接触によって基体２の第１主面２Ａを傷付けないように保護する役割を有する。保護シート１３は、接着層１４を介して、入力領域Ｅ１および非入力領域Ｅ２に対応する基体２の第１主面２Ａの全面に亘って設けられている。保護シート１３の構成材料としては、例えば、ガラスあるいはプラスチックが挙げられる。また、接着層１４の構成材料としては、例えば、アクリル系粘着材、シリコーン系粘着材、ゴム系粘着材、あるいはウレタン系粘着材が挙げられる。
【００４６】
次に、入力装置Ｘ１の検出原理について説明する。
【００４７】
図示しない位置検出ドライバは、外部導通領域Ｇ１に位置する検出用配線１２に電気的に接続されている。なお、位置検出ドライバは、例えば、表示装置Ｙ１の回路基板４００上に設けられている。また、位置検出ドライバは、電源装置を備えている。位置検出ドライバの電源装置は、検出用配線１２を介して、第１検出電極パターン群３および第２検出電極パターン群６に電圧を供給している。ここで、入力領域Ｅ１に対応する基体２の第１主面２Ａに、保護シート１３を介して導電体である指Ｆ１が近接、接触、または押圧すると、指Ｆ１と第１検出電極パターン群３および第２検出電極パターン群６との間において静電容量が発生する。位置検出ドライバは、第１検出電極パターン群３および第２検出電極パターン群６において発生する静電容量を常に検出しており、所定値以上の静電容量を検出した第１検出電極パターン群３および第２検出電極パターン群６の組合せによって、使用者が入力操作を行った入力位置を検出する。このようにして、入力装置Ｘ１は、入力位置を検出することができる。
【００４８】
以上のように、入力装置Ｘ１では、検出感度にばらつきが生じる可能性を低減することができる化を実現しつつ、検出感度が低下してしまう可能性を低減することができる。
【００４９】
次に、入力装置Ｘ１を備えた表示装置Ｙ１について、図８を参照しながら説明する。
【００５０】
図８に示すように、本実施形態に係る表示装置Ｙ１は、入力装置Ｘ１、第１筐体１００、表示パネル２００、バックライト３００、および回路基板４００を備えている。
【００５１】
入力装置Ｘ１は、入力領域Ｅ１が露出するように、第１筐体１００に収容されている。また、入力装置Ｘ１は、第１筐体１００の支持部１０１上に設けられている。第１筐体１００の構成材料としては、例えば、ポリカーボネート等の樹脂、あるいは、ステンレス、アルミニウム等の金属が挙げられる。
【００５２】
表示パネル２００は、画像あるいは動画を表示する役割を有する。表示パネル２００は入力装置Ｘ１に対向して配置され、第１筐体１００に収容されている。なお、入力装置Ｘ１および表示パネル２００は、所定の間隔をあけて配置されているが、これに限らず、入力装置Ｘ１が固定部材を介して表示パネル２００上に直接設けられていてもよい。固定部材としては、例えば、両面テープ、熱硬化性樹脂、紫外線硬化性樹脂、あるいはねじ等の止め具が挙げられる。なお、本実施形態に係る表示パネル２００は、液晶構造体を用いた液晶パネルであるが、これに限らず、プラズマディスプレイ、有機ＥＬディスプレイ、ＦＥＤ（Field Emission Display）、ＳＥＤ（Surface-conduction Electron-emitter Display）、あるいは電子ペーパであってもよい。
【００５３】
バックライト３００は、表示パネル２００の下面全体にわたって、光を入射する役割を有する。バックライト３００は、表示パネル２００の後方に配置されている。バックライト３００は、光源３０１および導光板３０２を備えている。光源３０１は、導光板３０２に向けて光を出射する役割を担う部材であり、ＬＥＤ（Light Emitting Diode）から構成されている。なお、光源３０１はＬＥＤから構成されていなくともよく、例えば、冷陰極蛍光ランプ、ハロゲンランプ、キセノンランプ、あるいはＥＬ（Electro-Luminescence）から構成されてもよい。導光板３０２は、表示パネル２００の下面全体にわたって、光源３０１からの光を略均一に導くための役割を担う部材である。なお、表示パネル２００の代わりに自発光素子を用いた表示パネルを用いる場合は、バックライト３００は不要である。
【００５４】
回路基板４００は、例えば、上述した位置検出ドライバ、表示パネル２００の制御回路、バックライト３００の制御回路、抵抗器、あるいはコンデンサ等の電子部品を支持する役割を有する。回路基板４００は、バックライト３００の後方に配置されている。回路基板４００の構成材料としては、例えば、樹脂材料が挙げられる。
【００５５】
このように、表示装置Ｙ１は、表示パネル２００を、入力装置Ｘ１を介して透視しながら、入力領域Ｅ１を入力操作することによって、各種の情報を入力することができる。なお、各種の情報を入力する際に、情報を入力した使用者に対して、押圧感、なぞり感、肌触り感等の様々な触感を呈示する機能を入力装置Ｘ１に付与してもよい。この場合、入力装置Ｘ１における基体２に、１または複数の振動体（例えば、圧電素子等）を備え、所定の入力操作あるいは所定の押圧荷重を検知した場合に、当該振動体を所定の周波数で振動させることで実現することができる。
【００５６】
以上のように、表示装置Ｙ１は、入力装置Ｘ１を備えているため、検出感度にばらつきが生じる可能性を低減することができる。
【００５７】
次に、表示装置Ｙ１を備えた携帯端末Ｚ１について、図９を参照しながら説明する。
【００５８】
図９に示すように、本実施形態に係る携帯端末Ｚ１は、スマートフォン端末である。なお、携帯端末Ｚ１は、スマートフォン端末に限らず、例えば、携帯電話、タブレット端末
、あるいはＰＤＡ（Personal Digital Assistant）等であってもよい。携帯端末Ｚ１は、表示装置Ｙ１、音声入力部５０１、音声出力部５０２、キー入力部５０３、および第２筐体５０４を備えている。
【００５９】
音声入力部５０１は、使用者の音声等を入力する役割を有し、マイク等により構成されている。音声出力部５０２は、相手方からの音声等を出力する役割を有し、電磁スピーカあるいは圧電スピーカ等により構成されている。なお、上述のように、基体２に圧電素子を備えることで、触感を呈示する機能を入力装置Ｘ１に付与した場合、音声出力部５０２は、当該圧電素子によって入力装置Ｘ１の基体２を振動させ、音声を出力する構成としてもよい。キー入力部５０３は、機械的なキーにより構成されている。キー入力部５０３は、表示画面に表示された操作キーであってもよい。第２筐体５０４は、表示装置Ｙ１、音声入力部５０１、音声出力部５０２、およびキー入力部５０３を収容する役割を有する。なお、第２筐体５０４はなくともよく、表示装置Ｙ１の第１筐体１００に音声入力部５０１、音声出力部５０２、およびキー入力部５０３が収容されていてもよい。第２筐体５０４の構成材料としては、第１筐体１００と同様のものが挙げられる。
【００６０】
他にも、携帯端末Ｚ１は、必要な機能に応じて、デジタルカメラ機能部、ワンセグ放送用チューナ、赤外線通信機能部等の近距離無線通信部、無線ＬＡＮモジュール、および各種インタフェース等を備える場合もあるが、これらの詳細についての図示および説明は省略する。
【００６１】
以上のように、携帯端末Ｚ１は、表示装置Ｙ１を備えているため、検出感度にばらつきが生じる可能性を低減することができる。
【００６２】
ここで、表示装置Ｙ１は、上記の携帯端末Ｚ１の代わりに、産業用途で使用されるプログラマブル表示器、電子手帳、パーソナルコンピュータ、複写機、ゲーム用の端末装置、テレビ、あるいはデジタルカメラ等の種々の電子機器に備えられていてもよい。
【００６３】
なお、上述した実施形態は、本発明の実施形態の一具体例を示したものであり、種々の変形が可能である。以下、いくつかの主な変形例を示す。
【００６４】
［変形例１］
図１０は、変形例１に係る入力装置Ｘ２の概略構成を示す平面図であって、基体２を透視した図である。図１１は、図１０中に示したＩＶ−ＩＶ線断面図である。図１２は、図１０中に示したＶ−Ｖ線断面図である。なお、図１０〜１２において、図２と同様の機能を有する構成については、同じ参照符号を付記し、その詳細な説明は省略する。
【００６５】
図１０に示すように、入力装置Ｘ２では、入力装置Ｘ１が備える第１パターン間配線５の代わりに第１パターン間配線２１を備えている。また、入力装置Ｘ１が備える第２パターン間配線９の代わりに、第２パターン間配線２２を備えている。
【００６６】
第１パターン間配線２１は、入力領域Ｅ１に対応する基体２の第２主面２Ｂ上に複数設けられている。また、第１パターン間配線２１は、第１検出電極パターン群３に含まれる隣り合う第１検出電極パターン３０同士を接続している。ここで、図１１に示すように、複数の第１パターン間配線２１の厚みＤ１は、第１検出電極パターン３０の他端部３０ｄ側に位置する第１パターン間配線２１の方が、第１検出電極パターン３０の一端部３０ｃ側に位置する第１パターン間配線２１よりも大きい。このため、第１検出電極パターン３０の他端部３０ｄ側に位置する第１パターン間配線２１の抵抗値を、第１検出電極パターン３０の一端部３０ｃ側に位置する第１パターン間配線２１の抵抗値よりも小さくすることができる。そのため、使用者が入力操作を行った入力位置によって、検出感度にばらつ
きが生じる可能性を低減することができる。
【００６７】
なお、入力装置Ｘ２では、複数の第１パターン間配線２１の厚みＤ１は、第１検出電極パターン３０の他端部３０ｄに近づくほど大きくなっている。このため、検出感度にばらつきが生じる可能性をより低減することができる。
【００６８】
第２パターン間配線２２は、入力領域Ｅ１に対応する基体２の第２主面２Ｂ上に複数設けられている。また、第２パターン間配線２２は、第２検出電極パターン群６に含まれる複数の第２検出電極パターン６０同士を接続している。ここで、図１２に示すように、複数の第２パターン間配線２２の厚みＤ２は、第２検出電極パターン６０の他端部６０ｄ側に位置する第２パターン間配線２２の方が、第２検出電極パターン６０の一端部６０ｃ側に位置する第２パターン間配線２２よりも大きい。このため、第２検出電極パターン６０の他端部６０ｄ側に位置する第２パターン間配線２２の抵抗値を、第２検出電極パターン６０の一端部６０ｃ側に位置する第２パターン間配線２２の抵抗値よりも小さくすることができる。そのため、使用者が入力操作を行った入力位置によって、検出感度にばらつきが生じる可能性を低減することができる。
【００６９】
なお、入力装置Ｘ２では、複数の第２パターン間配線２２の厚みＤ２は、第２検出電極パターン６０の他端部６０ｄに近づくほど大きくなっている。このため、検出感度にばらつきが生じる可能性をより低減することができる。
【００７０】
［変形例２］
図１３は、変形例２に係る入力装置Ｘ３の概略構成を示す平面図であって、基体２を透視した図である。図１４は、図１３に示した１点鎖線で囲んだ領域Ａ２を拡大した平面図である。図１５は、図１３に示した２点鎖線で囲んだ領域Ｂ２を拡大した平面図である。なお、図１３〜１５において、図２、図５、および図６と同様の機能を有する構成については、同じ参照符号を付記し、その詳細な説明は省略する。
【００７１】
図１３に示すように、入力装置Ｘ３では、入力装置Ｘ１が備える第１検出電極パターン群３の代わりに、第１検出電極パターン群７０を備えている。また、入力装置Ｘ１が備える第２検出電極パターン群６の代わりに、第２検出電極パターン群８０を備えている。
【００７２】
第１検出電極パターン群７０には、複数の第１検出電極パターン７００が含まれている。第１検出電極パターン７００は、第１検出電極７００ａおよび第１電極間配線７００ｂを有している。ここで、図１４に示すように、複数の第１電極間配線７００ｂの幅Ｗ３は、第１検出電極パターン７００の他端部７００ｄ側に位置する第１電極間配線７００の方が、第１検出電極パターン７００の一端部７００ｃ側に位置する第１電極間配線７００ｂよりも大きい。このため、第１検出電極パターン７００の一端部７００ｃにおける抵抗値の大きさに比べて、第１検出電極パターン７００の他端部７００ｄにおける抵抗値の大きさが、相対的に大きくなる可能性を低減することができる。そのため、使用者が入力操作を行った入力位置によって、検出感度にばらつきが生じる可能性をより低減することができる。
【００７３】
なお、入力装置Ｘ３では、複数の第１電極間配線７００ｂの幅Ｗ３は、第１検出電極パターン７００の他端部７００ｄに近づくほど大きくなっている。このため、検出感度にばらつきが生じる可能性をより低減することができる。
【００７４】
第２検出電極パターン群８０には、複数の第２検出電極パターン８００が含まれている。第２検出電極パターン８００は、第２検出電極８００ａおよび第２電極間配線８００ｂを有している。ここで、図１５に示すように、複数の第２電極間配線８００ｂの幅Ｗ４は
、第２検出電極パターン８００の他端部８００ｄ側に位置する第２電極間配線８００ｂの方が、第２検出電極パターン８００の一端部８００ｃ側に位置する第２電極間配線８００ｂよりも大きい。このため、第２検出電極パターン８００の一端部８００ｃにおける抵抗値の大きさに比べて、第２検出電極パターン８００の他端部８００ｄにおける抵抗値の大きさが、相対的に大きくなる可能性を低減することができる。そのため、使用者が入力操作を行った入力位置によって、検出感度にばらつきが生じる可能性をより低減することができる。
【００７５】
なお、入力装置Ｘ３では、複数の第２電極間配線８００ｂの幅Ｗ４は、第２検出電極パターン８００の他端部８００ｄに近づくほど大きくなっている。このため、検出感度にばらつきが生じる可能性をより低減することができる。
【００７６】
以上、本発明の一実施形態およびその変形例について説明したが、本発明は上記に限定されるものではなく、入力装置Ｘ１、入力装置Ｘ２、あるいは入力装置Ｘ３は適宜組み合わせてもよい。また、本実施形態では、入力装置Ｘ１を備えた表示装置Ｙ１について説明したが、これに限らず、入力装置Ｘ１にかえて、入力装置Ｘ２あるいは入力装置Ｘ３を採用してもよい。また、本実施形態では、入力装置Ｘ１を備えた携帯端末Ｚ１について説明したが、これに限らず、入力装置Ｘ１にかえて、入力装置Ｘ２あるいは入力装置Ｘ３を採用してもよい。
【符号の説明】
【００７７】
Ｘ１〜Ｘ３  入力装置
Ｙ１  表示装置
Ｚ１  携帯端末（電子機器）
Ｄ１  第１パターン間配線の厚み
Ｄ２  第２パターン間配線の厚み
Ｗ１  第１パターン間配線の幅
Ｗ２  第２パターン間配線の幅
Ｗ３  第１電極間配線の幅
Ｗ４  第２電極間配線の幅
２  基体
３，７０  第１検出電極パターン群
４  第１接続配線
５，２１  第１パターン間配線
６，８０  第２検出電極パターン群
８  第２接続配線
９，２２  第２パターン間配線
１２  検出用配線
１２ａ  第１検出用配線
１２ｂ  第２検出用配線
３０，７００  第１検出電極パターン
３０ａ，７００ａ  第１検出電極
３０ｂ，７００ｂ  第１電極間配線
３０ｃ，７００ｃ  第１検出電極パターンの一端部
３０ｄ，７００ｄ  第１検出電極パターンの他端部
６０，８００  第２検出電極パターン
６０ａ，８００ａ  第２検出電極
６０ｂ，８００ｂ  第２電極間配線
６０ｃ，８００ｃ  第２検出電極パターンの一端部
６０ｄ，８００ｄ  第２検出電極パターンの他端部
１００  第１筐体（筐体）
３００  表示パネル
【図１】
0005762350.tif 000002
【図２】
0005762350.tif 000003
【図３】
0005762350.tif 000004
【図４】
0005762350.tif 000005
【図５】
0005762350.tif 000006
【図６】
0005762350.tif 000007
【図７】
0005762350.tif 000008
【図８】
0005762350.tif 000009
【図９】
0005762350.tif 000010
【図１０】
0005762350.tif 000011
【図１１】
0005762350.tif 000012
【図１２】
0005762350.tif 000013
【図１３】
0005762350.tif 000014
【図１４】
0005762350.tif 000015
【図１５】
0005762350.tif 000016